(57)【要約】【課題】  ユーザが取扱説明書をすべて読んだりする手間をかけることなく、ユーザが認識していない装置の機能をユーザに認識させ、携帯電話装置をより有効活用してもらえるようにすることを目的とする。【解決手段】  携帯電話装置の待ち受け画面に携帯電話装置の持つ機能に関する説明を表示する手段を備えた。【選択図】  図３
2006237947.tif 000002
【特許請求の範囲】
【請求項１】
携帯電話装置の待ち受け画面に携帯電話装置の持つ機能に関する説明を表示する手段を備えたことを特徴とする携帯電話装置。
【請求項２】
前記説明を表示するタイミングをユーザが設定する手段をさらに備えたことを特徴とする請求項１に記載の携帯電話装置。
【請求項３】
前記説明を表示する画面にて該説明の機能をユーザが呼び出す手段をさらに備えたことを特徴とする請求項１に記載の携帯電話装置。
【請求項４】
前記説明を表示する画面にて該説明の機能をユーザがあとで呼び出す設定をする手段をさらに備えたことを特徴とする請求項１に記載の携帯電話装置。
【請求項５】
前記あとで呼び出す設定がされた場合に、該あとで呼び出す設定がされた機能の一覧画面にて該機能をユーザが呼び出す手段をさらに備えたことを特徴とする請求項４に記載の携帯電話装置。
【請求項６】
前記説明を表示した機能についての履歴を記録する手段をさらに備えたことを特徴とする請求項１に記載の携帯電話装置。
【請求項７】
前記記録した履歴の一覧画面にて該履歴の機能をユーザが呼び出す手段をさらに備えたことを特徴とする請求項６に記載の携帯電話装置。
【請求項８】
前記記録した履歴が消えないように保護する手段をさらに備えたことを特徴とする請求項６に記載の携帯電話装置。
【請求項９】
携帯電話装置の持つ機能を分類分けし、ユーザがどの分類の機能に関する説明を表示するかを選択可能な手段を備えたことを特徴とする請求項１に記載の携帯電話装置。
【発明の詳細な説明】
【技術分野】
【０００１】
本発明は携帯電話装置に関し、その機能説明を表示画面に表示することができる携帯電話装置に関する。
【背景技術】
【０００２】
現在の携帯電話装置には多くの機能を有しているものの、ユーザはその機能をほとんど使用しきれていない。
【０００３】
さらに、携帯電話装置が有している多くの機能の紹介、その機能の説明は、取扱説明書や携帯電話装置自体に内蔵されているヘルプ機能のような機能で行われていた。
【０００４】
そのため、ユーザが認識していない機能をユーザに認識してもらうにはユーザが取扱説明書をすべて読んだり、ヘルプ機能をすべて呼び出したりする必要があった。
【０００５】
特許文献１に記載の文字情報処理装置では、限られた表示部にてその装置の機能を表示するために、機能メニューの選択肢を階層的に表示し、ユーザが選択した選択肢の機能メニューの説明文をガイド表示領域に表示するようにしている。
【０００６】
【特許文献１】特開２０００−１８７６５６号公報
【発明の開示】
【発明が解決しようとする課題】
【０００７】
しかしながら、特許文献１に記載の発明であっても、表示する機能説明はユーザが選択した機能メニューに関するものであり、ユーザが認識していない機能をユーザに認識してもらうようなことはできなかった。
【０００８】
本発明は上記の点にかんがみてなされたもので、複数の機能を有する携帯電話装置において、ユーザが取扱説明書をすべて読んだりする手間をかけることなく、ユーザが認識していない装置の機能をユーザに認識させ、携帯電話装置をより有効活用してもらえるようにすることを目的とする。
【課題を解決するための手段】
【０００９】
本発明は上記の目的を達成するために、携帯電話装置の待ち受け画面に携帯電話装置の持つ機能に関する説明を表示する手段を備えたことを特徴とする。
【００１０】
また本発明は、前記説明を表示するタイミングをユーザが設定する手段をさらに備えたことを特徴とする。
【００１１】
また本発明は、前記説明を表示する画面にて該説明の機能をユーザが呼び出す手段をさらに備えたことを特徴とする。
【００１２】
また本発明は、前記説明を表示する画面にて該説明の機能をユーザがあとで呼び出す設定をする手段をさらに備えたことを特徴とする。
【００１３】
また本発明は、前記あとで呼び出す設定がされた場合に、該あとで呼び出す設定がされた機能の一覧画面にて該機能をユーザが呼び出す手段をさらに備えたことを特徴とする。
【００１４】
また本発明は、前記説明を表示した機能についての履歴を記録する手段をさらに備えたことを特徴とする。
【００１５】
また本発明は、前記記録した履歴の一覧画面にて該履歴の機能をユーザが呼び出す手段をさらに備えたことを特徴とする。
【００１６】
また本発明は、前記記録した履歴が消えないように保護する手段をさらに備えたことを特徴とする。
【００１７】
また本発明は、携帯電話装置の持つ機能を分類分けし、ユーザがどの分類の機能に関する説明を表示するかを選択可能な手段を備えたことを特徴とする。
【発明の効果】
【００１８】
本発明によれば、複数の機能を有する携帯電話装置において、ユーザが取扱説明書をすべて読んだりする手間をかけることなく、ユーザが認識していない装置の機能をユーザに認識させ、携帯電話装置をより有効活用してもらえるようにすることができる。
【００１９】
すなわち本発明によれば、第１に、ユーザが携帯電話装置をより深く知ることができる。これは、携帯電話装置が有する機能に関する説明をランダムにポップアップ表示することで、取扱説明書なしで携帯電話装置の機能の種類や内容を知ることができるためである。
【００２０】
また第２に、ポップアップに表示した機能をユーザが簡単に、かつ、任意のタイミングで呼び出すことができる。これは、ポップアップ表示と同時に「機能呼び出し」ボタンや「あとで呼び出す」ボタンを表示させることで、ユーザが任意のタイミングで機能を呼び出すことを可能としているためである。
【００２１】
また第３に、ユーザはポップアップに表示した機能を複数回呼び出すことができる。これは、ポップアップ表示の履歴をメモリに残し、その履歴から機能を呼び出すことを可能としているためである。
【発明を実施するための最良の形態】
【００２２】
以下、本発明の実施の形態を図面を参照して説明する。
【００２３】
図１は、本発明の一実施の形態による携帯電話装置の構成を示すブロック図である。
【００２４】
図１において、本実施の形態の携帯電話装置１０は、その外観上、ユーザに対する表示を行う表示画面３１や、ユーザが操作するキー入力部２１を有する。
【００２５】
図２は、図１に示した携帯電話装置１０の制御に関する構成を示すブロック図である。
【００２６】
図２を参照すると、本実施の形態の携帯電話装置１０は、プログラム制御により動作するプロセッサ４と、プロセッサ４が動作するための基準となるクロック生成部５と、プログラム本体や種々のデータを格納することができるメモリ６と、ユーザの操作を受け付けるためのキー２と、表示部３とから構成されている。
【００２７】
キー２は図１に示したキー入力部２１を含み、表示部３は図１に示した表示画面３１を含む。
【００２８】
プロセッサ４は、ユーザによってどのキーが入力されたのかを識別したり、キーの種別に合わせてメモリ６に対しデータの読み書きを行ったり、表示部３に表示データを出力し表示したりすることが可能である。
【００２９】
図３は、図１に示した携帯電話装置１０の表示画面３１における表示例を示す図であり、（ａ）は通常の待ち受け画面を表示している状態を示す図であり、（ｂ）はポップアップ画面を表示している状態を示す図である。
【００３０】
図３（ａ）に示す表示画面３１では、従来から使用されている携帯電話装置の待ち受け画面を示している。
【００３１】
この待ち受け画面表示中には、所定のタイミングで、図３（ｂ）に示すように、携帯電話装置が有する機能の種類、名称や、その機能に関する説明を、ポップアップ画面３２にて表示する。
【００３２】
このポップアップ画面３２には、ポップアップ画面３２で説明した機能を実際に呼び出すためのボタン３３と、ポップアップ画面３２で説明した機能を呼び出さないためのボタン３４と、ポップアップ画面３２で説明した機能をあとで呼び出すためのボタン３５を表示し、これによってユーザがその機能を即座に呼び出したり、あとで呼び出したりすることを可能としている。
【００３３】
本実施の形態では、待ち受け画面表示中にポップアップ画面３２を表示する所定のタイミングをランダムにすることができる。これによって、ユーザが認識していない携帯電話装置が有する機能に関する説明をランダム表示することができ、ユーザがそれまで使用していなかった機能の存在を改めて認識させ、ユーザが必要に応じて、ポップアップ画面３２で知った機能を使用し、より深く携帯電話装置の機能を知り、携帯電話装置の便利な機能を使用する機会を増加させることができる。
【００３４】
以下に、本実施の形態の動作についてさらに説明する。
【００３５】
図４は、図３（ｂ）に示したポップアップ画面３２のボタン３３をユーザが選択した場合の、表示画面３１の表示例を示す図である。
【００３６】
図５は、図３（ｂ）に示したポップアップ画面３２のボタン３４をユーザが選択した場合の、表示画面３１の表示例を示す図である。
【００３７】
図６は、図３（ｂ）に示したポップアップ画面３２のボタン３５をユーザが選択した場合の、表示画面３１の表示例を示す図であり、（ａ）はボタン３５を選択時の表示例であり、（ｂ）は（ａ）のアイコン３６を選択時の表示例である。
【００３８】
上述のように、図３（ａ）の表示画面３１では従来から使用されている携帯電話装置の待ち受け画面を表示している。図３（ａ）のように待ち受け画面を表示しているタイミングは、「ユーザがおそらく何も操作していないと考えられるタイミング」である。本実施の形態では、この「ユーザがおそらく何も操作していないタイミング」で携帯電話装置が有する機能の説明をポップアップ画面３２で表示する。
【００３９】
図３（ｂ）に示すように、ポップアップ画面３２には、ポップアップ画面３２で説明した機能を実際に呼び出すためのボタン３３とポップアップ画面３２で説明した機能を呼び出さないためのボタン３４とポップアップ画面３２で説明した機能をあとで呼び出すためのボタン３５とから構成されている。
【００４０】
ポップアップ画面３２に表示する説明はソフトウェアで管理しやすいように携帯電話装置が有する機能ごとに分類する。
【００４１】
ここで、ユーザが図３の「機能を呼び出す」ボタン３３を選択すると、図４に示すように、ポップアップ画面３２で説明した機能を呼び出し、表示画面３１にはその機能の画面を表示する。
【００４２】
また、ユーザが図３の「機能を呼び出さない」ボタン３４を選択すると、図５に示すように、ポップアップ画面３２を消去し、表示画面３１の表示を待ち受け画面に戻す。
【００４３】
さらに、ユーザが図３の「あとで呼び出す」ボタン３５を選択すると、図６（ａ）に示すように、ボタン３４のときと同様にポップアップ画面３２を消去し、表示画面３１の表示を待ち受け画面に戻す。ただし、この場合には、後にポップアップ画面３２で説明した機能を選択することを容易にするため、表示画面３１上にアイコン３６を表示する。
【００４４】
アイコン３６はユーザ操作で選択することが可能であり、アイコン３６をユーザが選択すると、図６（ｂ）に示すように、過去に「あとで呼び出す」とした機能の一覧であるリストを表示し、このリストからユーザが所望の機能を呼び出すことを可能としている。
【００４５】
次に、本実施の形態の機能説明表示のためのポップアップ画面３２を、表示画面３１に表示するタイミングについて説明する。
【００４６】
図７は、機能説明表示のためのポップアップ画面３２を表示するタイミングをユーザが設定する際の表示画面３１の表示例を示す図であり、（ａ）は表示タイミングの選択肢を表示する画面であり、（ｂ）は（ａ）にて「（１）時間指定」を選択した場合の表示画面であり、（ｃ）は（ａ）にて「（２）間隔指定」を選択した場合の表示画面である。
【００４７】
機能説明表示のためのポップアップ画面３２を表示するタイミングは、キー入力部２１および表示画面３１を用いたユーザ操作によって設定変更可能である。
【００４８】
本実施の形態では、図７（ａ）のポップアップ表示タイミング設定画面例のように、ユーザが設定した時刻になるとポップアップ画面３２を表示する設定（「（１）時間指定」）と、ユーザが設定した時間間隔ごとにポップアップ画面３２を表示する設定（「（２）間隔指定」）と、ポップアップ画面３２をランダムに表示する設定（「（３）ランダム」）の３通りの表示タイミングを設定可能としている。
【００４９】
図７（ａ）の画面３１にてユーザが「（１）時間指定」を選択すると、図７（ｂ）の時間指定設定画面例へと遷移し、ユーザはポップアップ画面３２を表示するタイミングを時刻で指定する。このとき、ユーザが指定できる時刻は複数設定可能であることとする。
【００５０】
また、図７（ａ）の画面３１にてユーザが「（２）間隔指定」を選択すると、図７（ｃ）の間隔指定設定画面例へと遷移し、ユーザはポップアップ画面３２を表示するタイミングを時間間隔で指定する。
【００５１】
さらに、図７（ａ）の画面３１にてユーザが「（３）ランダム」を選択すると、プロセッサ４で乱数を生成し、その乱数と任意の条件を元にタイミングを生成し、ポップアップ画面３２を表示する。
【００５２】
なお、携帯電話装置１０が有する複数の機能のうちのどの機能についての説明を、今回のポップアップ画面３２にて表示するかについては、各種機能の中からランダムで決めるようにしてもよいし、あらかじめ定めた順番で表示するようにしてもよい。
【００５３】
図８は、携帯電話装置１０が有する各機能を分類して表示する表示画面３１の例を示す図であり、（ａ）はメールについての機能を表示する図であり、（ｂ）は各種設定についての機能を表示する図であり、（ｃ）はカメラについての機能を表示する図であり、（ｄ）は（ｂ）の各種設定のうち着信についての設定機能を表示する図であり、（ｅ）は（ｂ）の各種設定のうち画面についての設定機能を表示する図である。
【００５４】
また、一度ポップアップ画面３２に表示した機能については、所定のタイミングに達するまでは再度表示しないように制御することもできる。この所定のタイミングとしては、すべての機能説明を表示した場合には再度表示してもよいとしてもよいし、ある一定期間が経過したならば再度表示してもよいとしてもよい。
【００５５】
また本実施の形態では、ポップアップ画面３２にどの機能の説明を表示したかの履歴を記憶しておくようにすることができる。
【００５６】
図９は機能説明の表示の履歴について説明する図である。図９の履歴テーブルでは、ひらがなまたはカタカナ１文字にて、ポップアップ画面３２に説明を表示する機能のそれぞれを示している。
【００５７】
図９に示すように、この実施の形態では、表示したポップアップ画面３２の履歴を図２に示したメモリ６に履歴テーブルとして記録する機能を有している。
【００５８】
履歴テーブルに残す履歴の数には上限を持たせ、上限に達するまでは単純にすべての履歴を残しておき、上限に達した後は古い履歴から順に削除し、新しい履歴を残すようにしてもよい。
【００５９】
図９では、６１、６２および６３に示すように、履歴テーブル１ができている状態から「あ」という履歴を追加する動作を示している。すなわち、ここでは、履歴テーブル１からもっとも古い「ア」という履歴を削除し、代わりに「あ」という履歴を追加し、履歴テーブル２を生成し、さらに、履歴テーブル２に「い」という履歴を追加して履歴テーブル３を生成する例を時系列的に示している。
【００６０】
本実施の形態では、このような履歴テーブルをユーザに対して表示して、ユーザがその履歴から再度機能を呼び出すことをも可能としている。
【００６１】
図１０は、機能説明の表示履歴についての図９とは別の例を説明する図である。
【００６２】
図１０に示すように、履歴テーブルに残す履歴にポップアップを表示したときに「機能を呼び出す」ボタンを選択したか、「機能を呼び出さない」ボタンを選択したか、「あとで呼び出す」ボタンを選択したかという記録と履歴を保護するかどうかを識別する機能を有し、かつ、「あとで呼び出す」と「保護する」という状態にある履歴は削除しないようにすることで、ユーザの意図でポップアップ表示の履歴を操作することも可能である。
【００６３】
図１０では、６４、６５および６６に示すように、図９と同様に履歴テーブル１ができている状態から「あ」という履歴を追加する動作を示している。すなわち、図９ではもっとも古い「ア」という履歴を削除していたが、図１０では、「ア」という履歴に「後で」というチェックがあるので削除せず、その次に古い「イ」という履歴が「呼び出し有」というチェックとなっているので、この「イ」という履歴を削除し、代わりに「あ」という履歴を追加し、履歴テーブル２を生成している。同様に履歴テーブル２に「い」という履歴を追加する場合、「後で」となっている「ア」と「保護」となっている「ウ」を削除せず、「エ」という履歴を削除し、代わりに「い」を追加し、履歴テーブル３を生成する。
【００６４】
以上説明したように、本実施の形態では、ユーザが認識していない携帯電話装置が有する機能に関する説明をランダムに表示することによって、ユーザがそれまで使用していなかった機能の存在を改めて認識させ、ユーザが必要に応じてポップアップ画面で表示した機能を使用することでより深く携帯電話装置の機能を使用する機会を増加させることができる。
【００６５】
なお、上述の実施の形態では、ポップアップ画面に表示する機能説明を分類しており、この説明を表示する順番をランダムとしていたが、本発明はこれに限られるものではなく、たとえばポップアップ画面に表示する機能説明の順番を、携帯電話装置の取扱説明書通りの順番としてあらかじめ登録しておくことも可能である。
【００６６】
このように表示の順番を取扱説明書通りとすることで、ユーザは携帯電話装置の基本的な機能の説明から順々に応用的な機能の説明へと移行していくことが可能となる。
【００６７】
また、上述の実施の形態では、ポップアップ画面に表示する機能説明をランダムに表示しているが、あらかじめ機能説明の種類を図８に示したように分類分けしておき、ユーザがこの説明のどの分類を表示するかを選択可能とすることもできる。
【００６８】
図８では、（ａ）、（ｂ）、（ｃ）・・・にて携帯電話装置が有する機能の大分類に分類し、（ｂ）を（ｄ）、（ｅ）・・・という具合に（ｂ）の中を小分類に分類している例を示している。
【００６９】
この分類分けは携帯電話装置が有する機能に合わせて、変更可能である。
【００７０】
また、表示する説明の分類を選択可能とすることによって、ユーザにとって必要な機能についてのみポップアップ画面で説明を表示することが可能である。
【００７１】
また、上述の実施の形態では、一度ポップアップ画面３２に表示した機能については重複して表示しない動作としているが、これ以外にも、ポップアップ画面３２に一度表示し且つポップアップ画面３２から機能の呼び出しを行った機能のみについては重複して表示しない動作や、ユーザが一度も呼び出したことがない機能（本実施の形態の機能説明のポップアップ画面３２以外からの機能呼び出しを含む）やユーザの使用頻度が低い機能のみをポップアップ画面３２に表示するよう制御することも可能である。
【００７２】
また、上述の実施の形態では、機能説明をポップアップ画面にて行うようにしたが、本発明はこれに限られるものではなく、表示画面３１のどの部分にて機能説明を行うものであってもかまわない。また、画面表示だけではなく、音声出力で機能説明を行うものであってもよい。
【００７３】
以上説明した本発明は、携帯電話装置以外であっても、液晶等の表示部と何らかのユーザ操作を受け付けるインターフェースとを備えた電化製品すべてに適用することができる。たとえば、携帯電話装置やノートパソコンやデジタルカメラや電子辞書や小型音楽プレーヤ等が該当する。
【図面の簡単な説明】
【００７４】
【図１】本発明の一実施の形態による携帯電話装置の構成を示すブロック図である。
【図２】図１に示した携帯電話装置１０の制御に関する構成を示すブロック図である。
【図３】図１に示した携帯電話装置１０の表示画面３１における表示例を示す図であり、（ａ）は通常の待ち受け画面を表示している状態を示す図であり、（ｂ）はポップアップ画面を表示している状態を示す図である。
【図４】図３（ｂ）に示したポップアップ画面３２のボタン３３をユーザが選択した場合の、表示画面３１の表示例を示す図である。
【図５】図３（ｂ）に示したポップアップ画面３２のボタン３４をユーザが選択した場合の、表示画面３１の表示例を示す図である。
【図６】図３（ｂ）に示したポップアップ画面３２のボタン３５をユーザが選択した場合の、表示画面３１の表示例を示す図であり、（ａ）はボタン３５を選択時の表示例であり、（ｂ）は（ａ）のアイコン３６を選択時の表示例である。
【図７】機能説明表示のためのポップアップ画面３２を表示するタイミングをユーザが設定する際の表示画面３１の表示例を示す図であり、（ａ）は表示タイミングの選択肢を表示する画面であり、（ｂ）は（ａ）にて「（１）時間指定」を選択した場合の表示画面であり、（ｃ）は（ａ）にて「（２）間隔指定」を選択した場合の表示画面である。
【図８】携帯電話装置１０が有する各機能を分類して表示する表示画面３１の例を示す図であり、（ａ）はメールについての機能を表示する図であり、（ｂ）は各種設定についての機能を表示する図であり、（ｃ）はカメラについての機能を表示する図であり、（ｄ）は（ｂ）の各種設定のうち着信についての設定機能を表示する図であり、（ｅ）は（ｂ）の各種設定のうち画面についての設定機能を表示する図である。
【図９】機能説明の表示の履歴について説明する図である。
【図１０】機能説明の表示履歴についての図９とは別の例を説明する図である。
【符号の説明】
【００７５】
２  キー
３  表示部
４  プロセッサ
５  クロック生成部
６  メモリ
１０  携帯電話装置
２１  キー入力部
３１  表示画面
３２  ポップアップ画面
３３、３４、３５  ボタン
【図１】
2006237947.tif 000003
【図２】
2006237947.tif 000004
【図３】
2006237947.tif 000005
【図４】
2006237947.tif 000006
【図５】
2006237947.tif 000007
【図６】
2006237947.tif 000008
【図７】
2006237947.tif 000009
【図８】
2006237947.tif 000010
【図９】
2006237947.tif 000011
【図１０】
2006237947.tif 000012